(57)【要約】【課題】本発明は、基地局１０が、移動局２０からのフィードバック情報を利用して下りのデータ送信電力量を制御することを目的とする。【解決手段】移動局２０は、複数の基地局１０から送信される複数の制御情報を受信し、受信した複数の制御情報から各制御情報が受信中に受けた干渉の比率をＳＩＲとして推定し、推定したＳＩＲからダイバーシチハンドオーバ中に受けた干渉情報をフィードバック情報として生成し、複数の基地局１０に送信し、複数の基地局１０は、移動局２０から送信されるフィードバック情報から下りチャネル１のデータ送信電力量を制御する。【選択図】図１
2006304347.tif 000002
【特許請求の範囲】
【請求項１】
複数の基地局から送信される複数の制御情報送信用チャネル信号を複数の制御情報として受信する移動体受信部と、
上記移動体受信部が受信する複数の制御情報に基づいて、複数の制御情報に関する通信品質を品質推定値として推定する推定部と、
上記推定部が推定する品質推定値に基づいて、データ送信用チャネルの送信電力を制御するためにダイバーシチハンドオーバ時であるか否かに対応した電力量制御情報をコマンドとして生成するコマンド生成部とを備えることを特徴とする移動体通信機器。
【請求項２】
上記推定部は、複数の制御情報に基づいて複数の品質推定値を推定し、
上記コマンド生成部は、上記推定部が推定する複数の品質推定値から各品質推定値の比を算出し、算出した各品質推定値の比に基づいてコマンドを生成することを特徴とする請求項１記載の移動体通信機器。
【請求項３】
上記推定部は、複数の制御情報に基づいて複数の品質推定値を推定し、
上記移動体通信機器は、さらに、上記推定部が推定する複数の品質推定値を合成し、合成した複数の品質推定値の合成値と通信中の制御情報の干渉について定められた基準レベルを示す品質基準値とを比較し、比較した結果に基づいて送信電力を制御するための電力量制御情報をフラグとして生成するフラグ生成部を備えることを特徴とする請求項１記載の移動体通信機器。
【請求項４】
上記推定部は、複数の制御情報に基づいて複数の品質推定値を推定し、
上記移動体通信機器は、さらに、上記推定部が推定する複数の品質推定値と上記コマンド生成部が生成するコマンドの種類とを対応させて記憶させたテーブルを備え、
上記コマンド生成部は、上記推定部が推定する複数の品質推定値に基づいて上記テーブルから対応するコマンドを選択することを特徴とする請求項１記載の移動体通信機器。
【請求項５】
上記推定部は、複数の制御情報に基づいて品質推定値を複数推定し、
上記コマンド生成部は、上記推定部が推定する複数の品質推定値から品質推定値の最大値を選択し、選択した品質推定値の最大値と通信中の制御情報の干渉について定められた基準レベルを示す品質基準値とを比較し、比較した結果に基づいてコマンドを生成することを特徴とする請求項１記載の移動体通信機器。
【請求項６】
上記コマンド生成部は、生成したコマンドを上りの制御情報を伝送する伝送フォーマット中のフィードバック情報領域に組み立てることを特徴とする請求項１記載の移動体通信機器。
【請求項７】
複数の基地局から送信される複数のデータ送信用チャネル信号を複数の制御情報として受信する移動体受信部と、
上記移動体受信部が受信する複数の制御情報に基づいて、複数の制御情報に関する通信品質を品質推定値として推定する推定部と、
上記推定部が推定する品質推定値に基づいて、下りチャネルの送信電力を制御するためにダイバーシチハンドオーバ時であるか否かに対応した電力量制御情報をコマンドとして生成するコマンド生成部とを備えることを特徴とする移動体通信機器。
【請求項８】
上記推定部は、複数の制御情報に基づいて複数の品質推定値を推定し、
上記コマンド生成部は、上記推定部が推定する複数の品質推定値から品質推定値の最大値を選択し、選択した品質推定値の最大値と通信中の制御情報の干渉について定められた基準レベルを示す品質基準値とを比較し、比較した結果に基づいてコマンドを生成することを特徴とする請求項７記載の移動体通信機器。
【請求項９】
データ送信用チャネルの送信電力を制御するためにダイバーシチハンドオーバ時であるか否かに対応した電力量制御情報をコマンドとして移動体通信機器から受信する基地局受信部と、
制御情報送信用チャネルの送信電力を制御する送信電力制御部と、
上記基地局受信部が受信するコマンドから上記送信電力制御部が制御する制御情報送信用チャネルの送信電力とは別個にデータ送信用チャネルの送信電力を制御するデータ送信電力制御部とを備えることを特徴とする基地局。
【請求項１０】
データ送信用チャネルの送信電力を制御するためにダイバーシチハンドオーバ時であるか否かに対応した電力量制御情報をコマンドとして移動体通信機器から受信する基地局受信部と、
上記基地局受信部が受信するコマンドの種類とデータ送信用チャネル信号を送信するための電力補正量とを対応させて記憶させた補正テーブルと、
上記基地局受信部が受信するコマンドに対応する電力補正量を上記補正テーブルから選択する補正部と、
上記補正部が選択した電力補正量からデータ送信用チャネルの送信電力量を補正するデータ送信電力制御部とを備えることを特徴とする基地局。
【請求項１１】
データ送信用チャネルの送信電力を制御するためにダイバーシチハンドオーバ時であるか否かに対応した電力量制御情報をコマンドとして移動体通信機器から受信し、送信電力を制御するための電力量制御情報をフラグとして移動体通信機器から受信する基地局受信部と、
上記基地局受信部が受信するコマンドとフラグとからデータ送信用チャネル信号を送信する電力量を制御するデータ送信電力制御部とを備えることを特徴とする基地局。
【請求項１２】
複数の基地局と移動体通信機器とを有する通信システムであって、
上記移動体通信機器は、上記複数の基地局から送信される複数の制御情報送信用チャネル信号を複数の制御情報として受信する移動体受信部と、
上記移動体受信部が受信する複数の制御情報に基づいて、複数の制御情報に関する通信品質を品質推定値として推定する推定部と、
上記推定部が推定する品質推定値に基づいて、データ送信用チャネル信号の送信電力を制御するためにダイバーシチハンドオーバ時であるか否かに対応した電力量制御情報をコマンドとして生成するコマンド生成部とを備え、
上記複数の基地局の少なくともいずれか１以上の基地局は、上記移動体通信機器から送信されるコマンドを受信する基地局受信部と、
制御情報送信用チャネルの送信電力を制御する送信電力制御部と、
上記基地局受信部が受信するコマンドから上記送信電力制御部が制御する制御情報送信用チャネルの送信電力とは別個にデータ送信用チャネルの送信電力を制御するデータ送信電力制御部とを備えることを特徴とする通信システム。
【請求項１３】
複数の基地局から送信される複数の制御情報送信用チャネル信号を複数の制御情報として受信し、
上記受信する複数の制御情報に基づいて、複数の制御情報に関する通信品質を品質推定値として推定し、
上記推定する品質推定値に基づいて、データ送信用チャネルの送信電力を制御するためにダイバーシチハンドオーバ時であるか否かに対応した電力量制御情報をコマンドとして生成することを特徴とする移動体通信方法。
【請求項１４】
複数の基地局から送信される複数の制御情報送信用チャネル信号を複数の制御情報として受信する処理、
上記受信する複数の制御情報に基づいて、複数の制御情報に関する通信品質を品質推定値として推定する処理、
上記推定する品質推定値に基づいて、データ送信用チャネルの送信電力を制御するためにダイバーシチハンドオーバ時であるか否かに対応した電力量制御情報をコマンドとして生成する処理を特徴とする移動体通信プログラム。
【請求項１５】
データ送信用チャネルの送信電力を制御するためにダイバーシチハンドオーバ時であるか否かに対応した電力量制御情報をコマンドとして移動体通信機器から受信し、
制御情報送信用チャネルの送信電力を制御し、
上記受信するコマンドから上記制御する制御情報送信用チャネルの送信電力とは別個にデータ送信用チャネルの送信電力を制御することを特徴とする基地局通信方法。
【請求項１６】
データ送信用チャネルの送信電力を制御するためにダイバーシチハンドオーバ時であるか否かに対応した電力量制御情報をコマンドとして移動体通信機器から受信する処理、
制御情報送信用チャネルの送信電力を制御する処理、
上記受信するコマンドから上記制御する制御情報送信用チャネルの送信電力とは別個にデータ送信用チャネルの送信電力を制御する処理を特徴とする基地局通信プログラム。
【請求項１７】
複数の基地局から受信した複数の制御情報に基づいて推定された上記各制御情報にそれぞれ対応する複数の品質推定値に基づいて、データ送信用チャネルの送信電力を制御するためにダイバーシチハンドオーバ時であるか否かに対応した電力量制御情報をコマンドとして生成することを特徴とする移動体通信機器。
【発明の詳細な説明】
【技術分野】
【０００１】
本発明は、下り送信データを送信するデータ送信用チャネルの送信電力量の制御に関するものである。
【背景技術】
【０００２】
図１４は、従来において、基地局から下り送信データ及び制御情報を移動局に送信する場合のシステム構成図である。
１０は、基地局（ＢＴＳ：Ｂａｓｅ  Ｔｒａｎｓｃｅｉｖｅｒ  Ｓｔａｔｉｏｎ）である。
２０は、移動局（ＵＥ：Ｕｓｅｒ  Ｅｑｕｉｐｍｅｎｔ）である。
１は、基地局１０から移動局２０に下り送信データを伝送するための下りチャネルである。下りチャネル１はデータ送信用チャネルを示している。
２は、下りチャネルに付随する付随チャネルである。付随チャネル２は制御情報送信用チャネルを示している。
３は、移動局２０から基地局１０にデータを伝送するための上りチャネルである。
ここで、チャネルとは、データや制御情報の伝送のように特定の目的で行われる伝送時に割り当てられる周波数の帯域をいう。Ｗ−ＣＤＭＡ（Ｗｉｄｅｂａｎｄ−Ｃｏｄｅ  Ｄｅｖｉｓｉｏｎ  Ｍｕｌｔｉｐｌｅ  Ａｃｃｅｓｓ）では、複数のユーザが同じ周波数帯域を共有して下り送信データの送信をすることができる。
【０００３】
図１４の上段は、下り送信データの送信動作を示している。
基地局１０では、まず、移動局２０に送るべき送信データが符号化部１５に送られ、符号化部１５で符号化される。符号化された送信データは、物理チャネル部１４で物理チャネルの構成に組み立てられ、変調部１３ａで変調され、データ送信電力制御部１３０に送られ、データ送信電力制御部１３０による下りチャネル１の送信電力の制御によって移動局２０に送信される。
移動局２０は、データ送信電力制御部１３０から送信された下りチャネル１を受信し、物理チャネル部２５において受信データを抽出し、受信レベル情報をＤＰＣＣＨ部２１ｆに供給する。移動局２０の保持者であるユーザは、受信データをこのように受信することによって、基地局１０から情報を得ることができる。
ここで、下りチャネル１は、共通チャネル、すなわち、複数のユーザで同一周波数符号を共有するチャネルである。そのため、下りチャネル１には、同じ周波数帯域を用いて送信した複数の下り送信データをそれぞれ区別するために固有の制御情報が付随チャネル２を用いて送信される。
【０００４】
図１４の中段は、基地局１０が、下りチャネル１に付随する付随チャネル２を用いて下りの制御情報を移動局２０へ送信する送信動作を示している。
下りの制御情報は、ＤＰＣＣＨ部１１ｂにて物理チャネル構成に組み立てられ、変調部１３ｂで変調される。送信電力制御部１３１は、ＤＰＣＣＨ部１１ｆが受信したＤＰＣＣＨから抽出したＴＰＣコマンドに従って送信電力制御を行い、この出力は移動局２０に送信される。
移動局２０は、付随チャネル２を受信し、ＤＰＣＣＨ部２１ｆは、受信した付随チャネル２のＤＰＣＣＨから制御情報を抽出し、抽出した受信レベル情報を物理チャネル部２５からの受信レベル情報とともに下りチャネル品質推定部１３３に供給する。下りチャネル品質推定部１３３は、これらの制御情報にしたがってチャネルの品質を推定する。その推定結果は、図１４の下段に示すようにＤＰＣＣＨ部２１ｇにおいてＤＰＣＣＨのフィールドにＴＰＣコマンドとして組み立てられ、上りチャネル３を用いて基地局１０に送信される。
基地局１０のＤＰＣＣＨ部１１ｆは、移動局２０のＤＰＣＣＨ部２１ｇから送信されたＤＰＣＣＨ出力を受信し、ＴＰＣコマンドを抽出する。基地局１０の送信電力制御部１３１では、ＤＰＣＣＨから抽出したＴＰＣコマンドを移動局２０からのフィードバック情報として、この情報に従って付随チャネル２の送信電力制御を行う。
ここで、ＤＰＣＣＨについて説明する。ＤＰＣＣＨ（Ｄｅｄｉｃａｔｅｄ  Ｐｈｙｓｉｃａｌ  Ｃｏｎｔｒｏｌ  Ｃｈａｎｎｅｌ）とは、下りチャネルの品質などを満足させるための物理制御情報を持つチャネルをいう。ＤＰＣＣＨは、ＤＰＣＨ（Ｄｅｄｉｃａｔｅｄ  Ｐｈｙｓｉｃａｌ  Ｃｈａｎｎｅｌ）の構成要素である。すなわち、ＤＰＣＨのフォーマットは、データ情報を持つＤＰＤＣＨ（Ｄｅｄｉｃａｔｅｄ  Ｐｈｙｓｉｃａｌ  Ｄａｔａ  Ｃｈａｎｎｅｌ）と制御情報を持つＤＰＣＣＨとから構成されている。
ＤＰＣＣＨには、ＰＩＬＯＴ（パイロット）とＴＰＣ（Ｔｒａｎｓｍｉｔ  Ｐｏｗｅｒ  Ｃｏｎｔｒｏｌ）とＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）とＦＢＩ（Ｆｅｅｄｂａｃｋ  Ｉｎｆｏｒｍａｔｉｏｎ）のフィールドがある。
ＰＩＬＯＴは、基地局の同期や上りＴＰＣの基準として用いられる。
ＴＰＣは、付随チャネルの送信電力制御のために用いられる。
ＴＦＣＩは、トランスポートチャネルの組み合わせを明示的に通知するために用いられる。
ＦＢＩは、送信ダイバーシチなどのフィードバック情報伝達のために用いられる。
【０００５】
図１４の中段と下段に示す動作をさらに詳しく説明する。
まず、基地局１０において、制御情報は、ＤＰＣＣＨ部１１ｂでＤＰＣＣＨに組み立てられ、変調部１３ｂで変調され、送信電力制御部１３１へ送られる。送信電力制御部１３１は、付随チャネル２の送信電力を制御して制御情報を移動局２０へ送信する。
移動局２０のＤＰＣＣＨ部２１ｆは、この受信信号を分解してＤＰＣＣＨ中のＰＩＬＯＴ信号を抽出する。このＰＩＬＯＴ信号の持つ電力がＳＩＲ（Ｓｉｇｎａｌ  ｔｏ  Ｉｎｔｅｒｆｅｒｅｎｃｅ  Ｒａｔｉｏ）を推定する場合の制御情報となる。下りチャネル品質推定部１３３は、この制御情報からＳＩＲを推定する。ＤＨＯ（Ｄｉｖｅｒｓｉｔｙ  Ｈａｎｄ  Ｏｖｅｒ：ダイバーシチ  ハンドオーバ）時には、図１４には示していないが、複数の基地局１０から付随チャネル２を利用して制御情報が信号として移動局２０に送信される。ここで、ＳＩＲとは、干渉を受けていない信号と干渉を受けている信号との比率をいう。よって、この場合、付随チャネル２（ＰＩＬＯＴ信号）の正常信号電力と干渉信号電力との比率がＳＩＲとなる。
下りチャネル品質推定部１３３は、推定したＳＩＲを合成し、その合成値からＴＰＣコマンドを生成し、ＤＰＣＣＨのＴＰＣフィールドにＴＰＣコマンドとして組み立てる。移動局２０のＤＰＣＣＨ部２１ｇは、上りチャネル３を用いて基地局１０にＤＰＣＣＨを送信する。基地局１０のＤＰＣＣＨ部１１ｆは、移動局２０から送信されたＤＰＣＣＨを受信する。
基地局１０の送信電力制御部１３１は、ＤＰＣＣＨ部１１ｆが受信したＤＰＣＣＨより抽出されたＴＰＣコマンドから下りの制御情報を送信する付随チャネル２の送信電力量を制御する。すなわち、送信電力制御部１３１は、ＴＰＣコマンドを用いて付随チャネル２の送信電力を制御して下りの制御情報を移動局２０に送信する。
【０００６】
ここで、ＤＨＯとは、複数のセルからの信号を受信してダイバーシチゲインを得るとともに、移動局２０が一のセルから他のセルに移動する移行時にシームレスな基地局１０と移動局２０との送受信を実現するための技術である。よって、移動局２０が一のセルの端（セルエッジ）に近づいていく場合に、基地局１０はＤＨＯを用いた制御を行うことが必要になる。
このＤＨＯ時に、上述したような従来の下りチャネル１の送信電力制御方法では、以下のような問題が生じる。
送信電力制御部１３１は、非ＤＨＯ時だけでなく、ＤＨＯ中の付随チャネル２の送信電力制御にも対応している。すなわち、送信電力制御部１３１は、ＤＨＯ中、上りチャネル３を用いて受信したＤＰＣＣＨに格納されたＴＰＣコマンドに基づいて付随チャネル２の送信電力を制御する場合に、ＤＨＯ時の利得であるダイバーシチゲインを得ることができる。よって、送信電力制御部１３１は、付随チャネル２の送信電力を減少させることが可能である。例えば、ＤＨＯ中に、基地局１０から付随チャネル２を用いて制御情報が移動局２０に送信されるとともに、図示していない他の一の基地局から他の付随チャネルを用いて制御情報が送信されている場合を考える。また、このとき、この二つの制御情報から下りチャネル品推定部１３３が各基地局に対応するＳＩＲをそれぞれ１／２と推定した場合を考える。基地局１０の送信電力制御部１３１は、各基地局に対応するそれぞれのＳＩＲ値から付随チャネル２の送信電力量を通常の半分程度にするよう付随チャネル２の送信電力量を制御して制御情報を送信する。このように、送信電力制御部１３１が付随チャネル２の送信電力量を制御しても、ＤＨＯ時には上記二つの基地局からそれぞれの付随チャネル２を使用して制御情報が送信されるというダイバーシチゲインがあるため、付随チャネル２のチャネル品質はある一定基準以上に保持されている。
しかし、データ送信電力制御部１３０の行う下りチャネル１の送信電力制御は、ＤＨＯ時に対応していない。よって、上記の例の場合のように、下りチャネル品推定部１３３が各基地局１０に対応するＳＩＲをそれぞれ１／２と推定した場合にも、データ送信電力制御部１３０は、上記のようなダイバーシチゲインを得ることができない。よって、仮にデータ送信電力制御部１３０が、通常、付随チャネル２の送信電力制御のために用いられるＴＰＣコマンドを用いて下りチャネル１の送信電力を制御すると仮定しても、ＴＰＣコマンドに基づいて下りチャネル１の送信電力量を通常の１／２程度に制御してしまうと、下りチャネル１はダイバーシチゲインを得ることができないため、下りチャネル１の送信電力量が通常の１／２と極端に減少してしまう。このようにＴＰＣコマンド情報から下りチャネル１の送信電力制御を行うと、ＤＨＯ時に下りチャネル１を用いて伝送される送信データの品質が低下し、移動局２０を所有するユーザが、送信されるデータの品質に満足できない状況を生じさせてしまう。また、もし、データ送信電力制御部１３０が移動局２０から受信したＴＰＣコマンドを用いずに下りチャネル１の送信電力を制御するならば、どのようにして非ＤＨＯ時とＤＨＯ時に対応して、送信データの品質を一定に担保した下りチャネル１の送信電力量の制御を行うことができるのかが問題となる。
【特許文献１】特開２００１−０４４９３１号公報
【特許文献２】国際公開第９８／５６２００号パンフレット
【特許文献３】特開２０００−１８３８１２号公報
【特許文献４】特表２００１−５１６９９７号公報
【特許文献５】特開平１０−１１２６８３号公報
【発明の開示】
【発明が解決しようとする課題】
【０００７】
本発明は、下りの送信データを送信する制御情報送信用チャネルの送信電力を制御するために、ダイバーシチハンドオーバ時であるか否かに対応した電力量制御情報を生成し、生成した電力量制御情報を用いて下りの送信データの送信電力を制御することを目的とする。
【課題を解決するための手段】
【０００８】
この発明に係る移動体通信機器は、複数の基地局から送信される複数の制御情報送信用チャネル信号を複数の制御情報として受信する移動体受信部と、
上記移動体受信部が受信する複数の制御情報に基づいて、複数の制御情報に関する通信品質を品質推定値として推定する推定部と、
上記推定部が推定する品質推定値に基づいて、データ送信用チャネルの送信電力を制御するためにダイバーシチハンドオーバ時であるか否かに対応した電力量制御情報をコマンドとして生成するコマンド生成部とを備えることを特徴とする。
【０００９】
上記推定部は、複数の制御情報に基づいて複数の品質推定値を推定し、
上記コマンド生成部は、上記推定部が推定する複数の品質推定値から各品質推定値の比を算出し、算出した各品質推定値の比に基づいてコマンドを生成することを特徴とする。
【００１０】
上記推定部は、複数の制御情報に基づいて複数の品質推定値を推定し、
上記移動体通信機器は、さらに、上記推定部が推定する複数の品質推定値を合成し、合成した複数の品質推定値の合成値と通信中の制御情報の干渉について定められた基準レベルを示す品質基準値とを比較し、比較した結果に基づいて送信電力を制御するための電力量制御情報をフラグとして生成するフラグ生成部を備えることを特徴とする。
【００１１】
上記推定部は、複数の制御情報に基づいて複数の品質推定値を推定し、
上記移動体通信機器は、さらに、上記推定部が推定する複数の品質推定値と上記コマンド生成部が生成するコマンドの種類とを対応させて記憶させたテーブルを備え、
上記コマンド生成部は、上記推定部が推定する複数の品質推定値に基づいて上記テーブルから対応するコマンドを選択することを特徴とする。
【００１２】
上記推定部は、複数の制御情報に基づいて品質推定値を複数推定し、
上記コマンド生成部は、上記推定部が推定する複数の品質推定値から品質推定値の最大値を選択し、選択した品質推定値の最大値と通信中の制御情報の干渉について定められた基準レベルを示す品質基準値とを比較し、比較した結果に基づいてコマンドを生成することを特徴とする。
【００１３】
上記コマンド生成部は、生成したコマンドを上りの制御情報を伝送する伝送フォーマット中のフィードバック情報領域に組み立てることを特徴とする。
【００１４】
この発明に係る移動体通信機器は、複数の基地局から送信される複数のデータ送信用チャネル信号を複数の制御情報として受信する移動体受信部と、
上記移動体受信部が受信する複数の制御情報に基づいて、複数の制御情報に関する通信品質を品質推定値として推定する推定部と、
上記推定部が推定する品質推定値に基づいて、下りチャネルの送信電力を制御するためにダイバーシチハンドオーバ時であるか否かに対応した電力量制御情報をコマンドとして生成するコマンド生成部とを備えることを特徴とする。
【００１５】
上記推定部は、複数の制御情報に基づいて複数の品質推定値を推定し、
上記コマンド生成部は、上記推定部が推定する複数の品質推定値から品質推定値の最大値を選択し、選択した品質推定値の最大値と通信中の制御情報の干渉について定められた基準レベルを示す品質基準値とを比較し、比較した結果に基づいてコマンドを生成することを特徴とする。
【００１６】
この発明に係る基地局は、データ送信用チャネルの送信電力を制御するためにダイバーシチハンドオーバ時であるか否かに対応した電力量制御情報をコマンドとして移動体通信機器から受信する基地局受信部と、
制御情報送信用チャネルの送信電力を制御する送信電力制御部と、
上記基地局受信部が受信するコマンドから上記送信電力制御部が制御する制御情報送信用チャネルの送信電力とは別個にデータ送信用チャネルの送信電力を制御するデータ送信電力制御部とを備えることを特徴とする。
【００１７】
この発明に係る基地局は、データ送信用チャネルの送信電力を制御するためにダイバーシチハンドオーバ時であるか否かに対応した電力量制御情報をコマンドとして移動体通信機器から受信する基地局受信部と、
上記基地局受信部が受信するコマンドの種類とデータ送信用チャネル信号を送信するための電力補正量とを対応させて記憶させた補正テーブルと、
上記基地局受信部が受信するコマンドに対応する電力補正量を上記補正テーブルから選択する補正部と、
上記補正部が選択した電力補正量からデータ送信用チャネルの送信電力量を補正するデータ送信電力制御部とを備えることを特徴とする。
【００１８】
この発明に係る基地局は、データ送信用チャネルの送信電力を制御するためにダイバーシチハンドオーバ時であるか否かに対応した電力量制御情報をコマンドとして移動体通信機器から受信し、送信電力を制御するための電力量制御情報をフラグとして移動体通信機器から受信する基地局受信部と、
上記基地局受信部が受信するコマンドとフラグとからデータ送信用チャネル信号を送信する電力量を制御するデータ送信電力制御部とを備えることを特徴とする。
【００１９】
この発明に係る通信システムは、複数の基地局と移動体通信機器とを有する通信システムであって、
上記移動体通信機器は、上記複数の基地局から送信される複数の制御情報送信用チャネル信号を複数の制御情報として受信する移動体受信部と、
上記移動体受信部が受信する複数の制御情報に基づいて、複数の制御情報に関する通信品質を品質推定値として推定する推定部と、
上記推定部が推定する品質推定値に基づいて、データ送信用チャネル信号の送信電力を制御するためにダイバーシチハンドオーバ時であるか否かに対応した電力量制御情報をコマンドとして生成するコマンド生成部とを備え、
上記複数の基地局の少なくともいずれか１以上の基地局は、上記移動体通信機器から送信されるコマンドを受信する基地局受信部と、
制御情報送信用チャネルの送信電力を制御する送信電力制御部と、
上記基地局受信部が受信するコマンドから上記送信電力制御部が制御する制御情報送信用チャネルの送信電力とは別個にデータ送信用チャネルの送信電力を制御するデータ送信電力制御部とを備えることを特徴とする。
【００２０】
この発明に係る移動体通信方法は、複数の基地局から送信される複数の制御情報送信用チャネル信号を複数の制御情報として受信し、
上記受信する複数の制御情報に基づいて、複数の制御情報に関する通信品質を品質推定値として推定し、
上記推定する品質推定値に基づいて、データ送信用チャネルの送信電力を制御するためにダイバーシチハンドオーバ時であるか否かに対応した電力量制御情報をコマンドとして生成することを特徴とする。
【００２１】
この発明に係る移動体通信プログラムは、複数の基地局から送信される複数の制御情報送信用チャネル信号を複数の制御情報として受信する処理、
上記受信する複数の制御情報に基づいて、複数の制御情報に関する通信品質を品質推定値として推定する処理、
上記推定する品質推定値に基づいて、データ送信用チャネルの送信電力を制御するためにダイバーシチハンドオーバ時であるか否かに対応した電力量制御情報をコマンドとして生成する処理を特徴とする。
【００２２】
この発明に係る基地局通信方法は、データ送信用チャネルの送信電力を制御するためにダイバーシチハンドオーバ時であるか否かに対応した電力量制御情報をコマンドとして移動体通信機器から受信し、
制御情報送信用チャネルの送信電力を制御し、
上記受信するコマンドから上記制御する制御情報送信用チャネルの送信電力とは別個にデータ送信用チャネルの送信電力を制御することを特徴とする。
【００２３】
この発明に係る基地局通信プログラムは、データ送信用チャネルの送信電力を制御するためにダイバーシチハンドオーバ時であるか否かに対応した電力量制御情報をコマンドとして移動体通信機器から受信する処理、
制御情報送信用チャネルの送信電力を制御する処理、
上記受信するコマンドから上記制御する制御情報送信用チャネルの送信電力とは別個にデータ送信用チャネルの送信電力を制御する処理を特徴とする。
【発明の効果】
【００２４】
本発明の移動体通信機器は、下り送信データの送信電力量を制御するためのフィードバック情報を生成することができる。
【００２５】
また、本発明の移動体通信機器は、あらかじめ定められたテーブルに基づいて、フィードバック情報を生成することができる。
【００２６】
また、本発明の移動体通信機器は、データ送信電力制御部がダイバーシチハンドオーバ中であるかを判定するための情報を生成することができる。
【００２７】
また、本発明の基地局は、移動体通信機器から受信するフィードバック情報を利用して下り送信電力量を制御することができる。
【００２８】
また、本発明の基地局は、補正テーブル利用して下り送信電力量を制御することができる。
【００２９】
また、本発明は、下り送信電力量を制御することができるシステムを構築することができる。
【発明を実施するための最良の形態】
【００３０】
実施の形態１．
以下、実施の形態１について説明する。
図１は、本実施の形態の動作を説明する図である。
図１４で示した従来例の構成と同じ動作を行う同一構成には同一番号を付しており、これらについては、上述しているので１、２の説明を除き説明を省略する。
１は、上述のように、基地局１０から移動局２０にデータを伝送するための下りチャネルを示す。３ＧＰＰ（３ｒｄ  Ｇｅｎｅｒａｔｉｏｎ  Ｐａｒｔｎｅｒｓｈｉｐ  Ｐｒｏｊｅｃｔ）においては、ＰＤＳＣＨ（Ｐｈｙｓｉｃａｌ  Ｄｏｗｎｌｉｎｋ  Ｓｈａｒｅｄ  Ｃｈａｎｎｅｌ）が下りチャネル１に相当する。
２は、上述のように、下りチャネル１に付随するチャネルを示す。３ＧＰＰにおいては、ＤＰＣＨが付随チャネルに相当する。
【００３１】
図１は、ＤＨＯ時の基地局１０と移動局２０の送受信を表している。移動局２０が基地局１０ａのセルエッジに近づき、基地局１０ｂのセルエッジに移動して行く過程において基地局１０と移動局２０のシームレスなデータの送受信を可能とするためには、移動局２０は基地局１０ａと基地局１０ｂとから充分な送信電力で付随チャネル２を受信することが必要である。その動作について次に説明する。
図１では、基地局１０ａが移動局２０と送受信する。即ち、基地局１０ａのデータ送信電力制御部１９が下りチャネル１を用いて送信データを送信する。移動局２０の物理チャネル部２５は、送信された送信データを受信する。基地局１０ａは、また、下りチャネル１に付随する付随チャネル２によって制御情報を移動局２０に送信する。移動局２０は、送信された制御情報を受信する。
基地局１０ｂは、制御情報を移動局２０に送信する。即ち、基地局１０ｂの送信電力制御部１２ｂが付随チャネル２を用いて制御情報を送信し、移動局２０は、送信された制御情報を受信する。ここで、制御情報は、送信電力制御部１２ａが送信したＤＰＣＣＨ中のＰＩＬＯＴ信号電力から抽出される。
【００３２】
移動局２０の動作．
移動局２０の下りチャネル品質推定部２２は、送信電力制御部１２ａが送信した制御情報に基づいてＳＩＲ１を推定する。また、下りチャネル品質推定部２２は、送信電力制御部１２ｂが送信した制御情報に基づいてＳＩＲ２を推定する。ここで、図１では、ＤＨＯ時に基地局１０ａと基地局１０ｂからＳＩＲを推定するが、基地局１０は、基地局１０ａと基地局１０ｂに限られることはなく、複数存在する場合もある。その場合には、その複数の基地局分だけ下りチャネル品質推定部２２がＳＩＲを推定する。また、ＳＩＲは品質推定値の一例であり、チャネル品質を推定できるものであれば品質推定値はＳＩＲに限られない。
【００３３】
次に、下りチャネル品質推定部２２がＳＩＲを用いてＴＰＣコマンド３５とコマンド３６とを生成する方法について説明する。
図２は、下りチャネル品質推定部２２の内部構成図である。図２では、下りチャネル品質推定部２２がＴＰＣコマンド３５およびコマンド３６を生成する動作を示している。
前述した通り、下りチャネル品質推定部２２中の推定部２３は、基地局１０ａの送信電力制御部１２ａが付随チャネル２（ＤＰＣＨ：＃ＢＴＳ１）のＰＩＬＯＴ信号電力から抽出した制御情報からＳＩＲ１を推定する（チャネル推定：Ｓ２３）。同様に推定部２３は、基地局１０ｂの送信電力制御部１２ｂが付随チャネル２（ＤＰＣＨ：＃ＢＴＳ２）のＰＩＬＯＴ信号電力から抽出した制御情報からＳＩＲ２を推定する（チャネル推定：Ｓ２４）。
【００３４】
次に、ＴＰＣコマンド３５を生成する動作について説明する。ＴＰＣコマンド３５は、下りの制御情報を送信する付随チャネル２の送信電力制御情報を示すフラグである。
図２の上段にこの動作を示す。下りチャネル品質推定部２２中のフラグ生成部２４は、フラグとしてのＴＰＣコマンド３５を生成する。
初めにフラグ生成部２４は、推定部２３推定されたＳＩＲ１とＳＩＲ２とを合成する。図２ではＳＩＲ１とＳＩＲ２の合成方法として加算がとられている（Ｓ２５）。
ＳＩＲ１とＳＩＲ２の合成値は、ターゲットＳＩＲ（ｔａｒｇｅｔ  ＳＩＲ）と比較される（Ｓ２６）。ここで、ターゲットＳＩＲとは、付随チャネル２の正常信号電力と干渉信号電力との品質基準レベルを示す品質基準値であり、予め定められているかもしくは上位レイヤーから設定される。
ＳＩＲ１とＳＩＲ２の合成値がターゲットＳＩＲよりも大きい場合には、ＴＰＣコマンド３５は０となる（Ｓ２７）。一方、ＳＩＲ１とＳＩＲ２の合成値がターゲットＳＩＲ以下の場合には、ＴＰＣコマンド３５は１となる（Ｓ２７）。ＴＰＣコマンド３５は、その値が０の場合には付随チャネル２の送信電力量を一定量減少させ、１の場合には付随チャネル２の送信電力量をある一定値増加させることを意味している。
生成されたＴＰＣコマンド３５は、図３に示すように、上りＤＰＣＣＨフォーマット３０のＴＰＣ３４に組み立てられる。ＴＰＣ３４は複数ビットを取ることも可能であるが、基地局１０において１ビット情報として用いられる。
【００３５】
次に、コマンド３６を生成する動作について説明する。
図２の下段にこの動作を示す。コマンド３６は、下りチャネル品質推定部２２中のコマンド生成部２８によって生成される。コマンド３６は、下りの送信データの送信電力を制御するためにＤＨＯ時であるか否かに対応した下りチャネル１の送信電力制御情報を持っている。このコマンド３６により通常時（非ＤＨＯ時）にもＤＨＯ時にも対応した下りチャネル１の送信電力制御が可能となる。
まず、コマンド生成部２８は、推定部２３がチャネル推定（Ｓ２３、Ｓ２４）で求めたＳＩＲ１とＳＩＲ２とから、ＳＩＲ１とＳＩＲ２との比を求める（Ｓ２０）。
次に、コマンド生成部２８は、ＳＩＲ１とＳＩＲ２との比（ＳＩＲ１／ＳＩＲ２）が１以下の場合には、コマンド３６を０と決定する。ＳＩＲ１／ＳＩＲ２が１より大きい場合には、コマンド３６を１と決定する。決定されたコマンド３６は、図３に示す上りＤＰＣＣＨフォーマット３０のＦＢＩ３３に組み立てられ、上りチャネル３を用いて基地局１０ａと基地局１０ｂに送信される。ただし、コマンド３６を組み立てるフィールドはＦＢＩ３３に限ることはなく、上りＤＰＣＣＨフォーマット３０中で使用が許可される他のフィールドでもよい。
図５は、ＳＩＲ比５２とコマンド３６との関係を示す表である。上記のように決定されたコマンド３６が０の場合はＤＨＯ中であることを示し、コマンド３６が１の場合にはＤＨＯが行われていない状態（非ＤＨＯ）であることを示している。
【００３６】
図４は、コマンド生成部２８がコマンド３６を生成するための他の方法を示した図である。
図４と図２において、同一構成のものには、同一番号が付されている。即ち、図２の推定部２３とフラグ生成部２４の動作は図２と同様であるため、説明を省略する。
コマンド生成部２８は、ＳＩＲ１とＳＩＲの比を算出し（Ｓ２０）、算出した比であるＳＩＲ１／ＳＩＲ２からテーブルを参照して、ＦＢＩフィールドに組み立てるコマンド３６を決定する（Ｓ４１）。このテーブルの内容を図７に示す。
図７に示したテーブルは、移動局２０において保持されているか、移動局２０がＳＩＲ比５２からコマンド３６を生成する時に参照できればよい。また、図７は図５と同様に、複数の品質推定値であるＳＩＲとコマンド３６の種類とを対応させて記憶させたテーブルの例である。ＳＩＲ比５２が１／１の場合には、コマンド３６は００となる。ＳＩＲ比５２が２／１又は１／２である場合には、コマンド３６は０１となる。ＳＩＲ比５２が３／１又は１／３の場合には、コマンド３６は１０となる。ＳＩＲ比５２が上述した値以外の場合には、コマンド３６は１１となる。コマンド３６が００又は０１又は１０の値を持つときはＤＨＯ中である。コマンド３６が１１である場合には、非ＤＨＯ時である。
図７では、ＳＩＲ比５２が１／１の場合には、干渉割合を０．７〜１．５に推定してコマンド３６を設定している。同様に、ＳＩＲ比５２が１／２の場合には干渉割合を０．４〜０．７に推定し、ＳＩＲ比５２が１／３の場合には干渉割合を０．３〜０．４に推定し、ＳＩＲ比５２が２／１の場合には干渉割合を１．５〜２．５に推定し、ＳＩＲ比５２が３／１の場合には干渉割合を２．５〜３．５に推定ている。そして、ＳＩＲ比５２が上記の各値をとる場合には、ＤＨＯ中であると判定してコマンド３６を設定している。
このようにコマンド３６は４値をとることも可能である。その場合には、コマンド３６によってＤＨＯ時であるかの判定ができるだけでなく、ＳＩＲ比５２によってコマンド３６を異なる値にできるため、後述するようにコマンド３６によって下りチャネル１の送信電力の補正量を変更することができる。このほか、ＳＩＲ比５２によって、コマンド３６値を２値や４値以外に設定することも可能である。
【００３７】
上述したように、本実施の形態に示す移動体通信機器としての移動局２０は、まず、複数の基地局１０から送信される複数の制御情報を受信する。推定部２３は、受信した複数の制御情報に基づいて、品質推定値であるＳＩＲをそれぞれ推定する。
コマンド生成部２８は、推定した複数のＳＩＲに基づいて、下り送信データの送信電力を制御するために、ＤＨＯ時であるか否かに対応した送信電力制御情報をコマンド３６として生成し、ＤＰＣＣＨのＦＢＩ３３フィールドに組み立てる。ＤＰＣＣＨに組み立てられたコマンド３６は、上りチャネル３を用いて複数の基地局１０に送信される。
このようにして、本実施の形態の移動局２０は、ＤＨＯ時であるか否かに対応した下りチャネル１のデータ送信電力量の制御情報をコマンド３６として基地局１０に送信することができる。
また、本実施の形態の移動局２０は、従来このような使用の目的として考慮されていなかった上りの制御情報を伝送する伝送フォーマット（上りＤＰＣＣＨフォーマット３０）中のフィードバック情報領域であるＦＢＩ３３領域を使用して上記コマンド３６を各基地局１０に送信することができる。
【００３８】
また、上述のように、移動局２０のコマンド生成部２８が生成するコマンド生成方法としては、推定した複数の品質推定値としてのＳＩＲからＳＩＲ比を算出し、算出したＳＩＲ比（ＳＩＲ１／ＳＩＲ２）に基づいてコマンド３６を生成する方法がある。
このように、ＳＩＲ比に基づいてコマンド３６を生成することにより、移動局２０は、ＤＨＯ中であるか否かをより精密に反映した下りチャネル１のデータ送信電力量の制御情報をコマンド３６として基地局１０に知らせることができる。
また、複数のＳＩＲの合成でなく、ＳＩＲの比に基づいてコマンド３６を生成するので、移動局２０は、ＤＨＯ中であるかについてのより現状に沿った精密な情報を有するコマンド３６を生成できる。
【００３９】
また、上述のように、フラグ生成部２４は、受信した複数の制御情報に基づいて推定された複数のＳＩＲを合成し、合成した複数のＳＩＲとターゲットＳＩＲとを比較し、比較した結果に基づいてＴＰＣコマンド３５を生成する。
このように生成されたＴＰＣコマンド３５と上記コマンド生成部２８により生成されたコマンド３６を基地局１０に送信することで、移動局２０は、コマンド３６からＤＨＯ時であるかの情報を基地局１０に知らせることができる。よってコマンド３６によってＤＨＯ時であるか否かを判断し、ＴＰＣコマンド３５を用いて下りチャネル１の送信電力量をどのように制御すべきかの情報を基地局１０に知らせることができる。
また、従来、ＴＰＣコマンド３５を生成するために行われていたＳＩＲ推定の結果を用いてコマンド３６を生成しているため、ＴＰＣコマンド３５を生成するためのハードウェアおよびソフトウエアの一部をそのまま使用でき、移動局２０の物理的体積や重量の増加を防ぐことができる。
【００４０】
基地局１０の動作．
次に、基地局１０が、コマンド３６を移動局２０から受信し、送信データを送信する下りチャネル１の電力制御を行う動作について説明する。基地局１０が下りチャネル１の電力制御を行う動作を図１に示す。
コマンド情報を持つＤＰＣＣＨは、ＤＰＣＣＨ部２１ｇによって上りチャネル３を利用して基地局１０ａに送信されるとともに基地局１０ｂに送信され、基地局１０ａのＤＰＣＣＨ部１１ａと基地局１０ｂのＤＰＣＣＨ部１１ｃがこれを受信する。
基地局１０ａは、ＤＰＣＣＨ中のＴＰＣ３４に組み立てられたＴＰＣコマンド３５を送信電力制御部１２ａに送る。また、基地局１０ａは、ＤＰＣＣＨ中のＦＢＩ３３に組み立てられたコマンド３６を補正部１８に送る。また、基地局１０ｂは、ＤＰＣＣＨ中に組み立てられたＴＰＣコマンド３５を送信電力制御部１２ｂに送る。
送信電力制御部１２ａと送信電力制御部１２ｂに送られたＴＰＣコマンド３５は、それぞれ下りの制御情報を送信する付随チャネル２の制御に使用される。
【００４１】
ＦＢＩ３３に組み立てられたコマンド３６を受け取った補正部１８は、そのコマンド３６情報を用いてデータ送信電力制御部１９が送信データを送信するときの下りチャネル１の送信電力量を補正する。
コマンド３６の種類と下りの送信データを送信するための電力補正量とを対応させて記憶させた補正テーブルの例を図６及び図８に示す。基地局１０ａは、予め図６または図８に示すような補正テーブルを保持しているか、または、参照できる状態を確保している。補正部１８は、この補正テーブルとコマンド３６から補正量を算出する。
図６ではコマンド３６が０の場合には補正量６４を３ｄＢとする。コマンド３６が１の場合には補正量６４を０ｄＢとする。これらの補正量６４はデータ送信電力制御部１９に送られる。従って、コマンド３６が０の場合には、図１に示すデータ送信電力制御部１９が補正前に送信データを送信していた送信電力量に３ｄＢが加算される。そして、この補正後の電力量によって下りチャネル１を用いて送信データが移動局２０に送信される。
データ送信電力制御部１９は、コマンド３６が１の場合には補正量６４は０であるから、下りチャネル１の電力量を現状の送信電力量に保持する。
図８に示すように、コマンド３６が４値を持つ時の補正部１８の動作について説明する。コマンド３６が００の場合には補正量６４は３ｄＢとなり、コマンド３６が０１の場合には補正量６４は２ｄＢとなり、コマンド３６が１０の場合には補正量６４は１ｄＢとなり、コマンド３６が１１の場合には補正量６４は０ｄＢとなる。
【００４２】
このように、基地局１０の補正部１８が、コマンド３６の種類と下りチャネル１の電力補正量とを対応させて記憶させた補正テーブルを用いて、移動局２０から受信したコマンド３６から下りチャネル１のデータ送信電力量を補正することが可能になる。
従って、従来は、ＤＨＯ時において、データ送信電力制御部１９が送信電力制御する下りチャネル１については、ＤＨＯ時であっても通常時と同様に制御されていた。そのため、下りチャネル１は、ダイバーシチゲインを得られず、下りチャネル１の送信電力がＤＨＯ時には極端に減少し、下りチャネル１を用いて送信される送信データの品質の劣化が生じていた。しかし、本実施の形態のように、上りＤＰＣＣＨフォーマット３０上のＦＢＩ３３フィールドにＤＨＯ時にも対応した下りチャネル１の電力制御情報を持つコマンド３６情報を与え、そのコマンド３６と補正テーブルとから下りチャネル１の送信電力量の補正を行うことにより、下りチャネル１の品質を一定値以上に保つことが可能になる。よって、移動局２０のユーザは、ＤＨＯ時においても基地局１０からの送信データを雑音を生じさせることなくクリアな形で受信することができる。
【００４３】
次に、基地局１０が、ＴＰＣコマンド３５とコマンド３６を移動局２０から受信し、送信データを送信する下りチャネル１の電力制御を行う動作について説明する。基地局１０が下りチャネル１の電力制御を行う動作を図９に示す。
補正部１８は、ＤＰＣＣＨ部１１ａによって受信されたＴＰＣコマンド３５とコマンド３６を取得する。予め補正部１８は移動局２０との間でコマンド３６の持つ意味について図５に示す取り決めをしている。この場合、補正部１８は、コマンド３６が０であればＤＨＯ中であると判断して、ＴＰＣコマンド３５が示す送信電力量の制御情報とは別に、下りチャネル１の電力補正量を設定する。補正部１８は、コマンド３６値が１の場合には非ＤＨＯ中であると判断して下りチャネル１の電力量の補正量を０とする。
データ送信電力制御部１９は、補正部１８による補正量にしたがって下りチャネル１の送信電力制御を行う。すなわち、コマンド３６が１の場合には、データ送信電力制御部１９は、ＴＰＣコマンド３５が示す送信電力量の制御情報にしたがって、下りチャネル１の電力制御を行う。コマンド３６が０の場合には、ＴＰＣコマンド３５の制御情報に従って、下りチャネル１の電力制御を行うと、ＤＨＯ時であるため下りチャネル１の送信電力量が極端に減少してしまう。よって、データ送信電力制御部１９は、補正部１８が設定した補正量を下りチャネル１の送信電力量に加えることで、下りチャネル１の送信電力量の極端な減少を防ぐこととした。
このようなデータ送信電力制御部１９の下りチャネル１の電力制御により、ＤＨＯ時においても基地局１０は、下りチャネル１の所定の品質を確保することができる。補正部１８が、コマンド３６の持つ意味について移動局２０との間で図７に基づく取り決めをしている場合には、補正部１８は、図８に基づき、上記の場合よりより細かい補正量を設定できるため、データ送信電力制御部１９は、上述の場合より正確な下りチャネル１の送信電力制御ができる。
【００４４】
実施の形態２．
次に、実施の形態２について説明する。
図１０は、本実施の形態の構成図を表している。図１で示した構成と同じ構成には同一番号を付している。
移動局２０の動作．
移動局２０の下りチャネル品質推定部２２は、図２に示す方法によりＴＰＣコマンド３５とコマンド３６を生成する。図４に示す方法によりコマンド３６を生成する必要はないため、移動局２０は図４に示すようなテーブルを保持し、または参照する必要はない。ＴＰＣコマンド３５とコマンド３６を組み立てたＤＰＣＣＨは、ＤＰＣＣＨ部２１ａによって上りチャネルを用いて基地局１０ａのＤＰＣＣＨ部１１ａと基地局１０ｂのＤＰＣＣＨ部１１ｃに送信される。送信電力制御部１２ａは、ＤＰＣＣＨのＴＰＣコマンド３５から付随チャネル２の送信電力量を制御する。データ送信電力制御部１９は、ＤＰＣＣＨのＴＰＣコマンド３５とコマンド３６から下りチャネル２の送信電力量を制御する。
【００４５】
図１１は、図１０で示した下りチャネル品質推定部２２が行う動作を表した図である。ＴＰＣコマンド３５については、図２で説明した生成方法と同様であるためここでの説明を省略する。
図１１の下段に示すコマンド生成部２８のコマンド生成方法について説明する。
まず、推定部２３により推定されたＳＩＲ１とＳＩＲ２の最大値が選択される（Ｓ１０１）。その最大値と予め定められているターゲットＳＩＲを比較する（Ｓ１０２）。最大値がターゲットＳＩＲよりも大きい場合には、コマンド３６を０とする（Ｓ１０３）。最大値がターゲットＳＩＲ以下の場合には、コマンド３６を０とする（Ｓ１０３）。
このようにして、生成されたコマンド３６はＴＰＣコマンド３５とともにＤＰＣＣＨに組み立てられ、基地局１０ａのＤＰＣＣＨ部１１ａと基地局１０ｂのＤＰＣＣＨ部１１ｃに送信される。
【００４６】
基地局１０の動作．
図１０では、図１の構成と異なり補正部１８を有していない。
データ送信電力制御部１９は、ＤＰＣＣＨ部１１ａによって受信されたＴＰＣコマンド３５とコマンド３６を取得する。データ送信電力制御部１９は、コマンド３６が０であればＤＨＯ中であると判断して、ＴＰＣコマンド３５が示す送信電力量の制御情報とは別に下りチャネル１の電力量を所定量増加させて送信データを移動局２０に送信する。データ送信電力制御部１９は、コマンド３６値が１の場合には非ＤＨＯ中であると判断して、ＴＰＣコマンド３５が示す送信電力量の制御情報にしたがって、付随チャネル２の電力制御と同様に下りチャネル１の電力制御を行う。
このようなデータ送信電力制御部１９の下りチャネル１の電力制御により、ＤＨＯ時においても適切な下りチャネル１の送信電力制御が可能となり、常に下りチャネル１の品質を一定以上に確保することができる。
なお、送信電力制御部１２ａは、移動局２０から受信したＴＰＣコマンド３５から付随チャネル２の送信電力量を制御する。
【００４７】
このように、基地局１０は、ＴＰＣコマンド３５のみではなくコマンド３６をも用いて下りチャネル１の送信電力量を制御する。よって、送信電力制御部１２ａがＤＨＯ中にダイバーシチゲインを得るため付随チャネル２の送信電力量を減少させた場合にも、下りチャネル１は付随チャネル２の送信電力量減少に左右されることなく下りチャネル１の電力量を制御できる。したがって、下りチャネル１の品質が一定値以下に低下するのを回避することができる。
また、本実施の形態では、基地局１０ａが補正テーブルと補正部１８を有する必要がないため、基地局１０ａの処理効率の向上が図られる。
【００４８】
以上のように、移動局２０のコマンド生成部２８は、受信した複数の制御情報に基づいて推定された複数のＳＩＲから最大値を求める。そして、求められたＳＩＲの最大値と品質基準値であるターゲットＳＩＲとを比較し、比較した結果に基づいてコマンド３６を生成する。生成されたコマンド３６は、ＤＰＣＣＨ２１ａの上りＤＰＣＣＨフォーマット３０中のＦＢＩ３３フィールドに組み立てられ、基地局１０送信される。基地局１０のデータ送信電力制御部１９は、受信したコマンド３６とＴＰＣコマンド３５を使用して、下りチャネル１の品質を低下させないように下りチャネル１の電力量を制御することが可能となる。
【００４９】
実施の形態３．
次に、実施の形態３について説明する。
図１２は、本実施の形態の構成図を表している。図１で示した構成と同じ構成には同一番号を付している。
本実施の形態は、図１３に示すように、前述した実施の形態２に示す下りチャネル品質推定部２２の構成を２系統にした場合の実施を示している。
図１３の上段は、ＴＰＣコマンド３５を生成する生成方法を示している。これについては、図２のＴＰＣコマンド３５生成方法と同様であり、前述したとおりであるので説明を省略する。
図１３の後段は、コマンド３６を生成する手段を示している。図１３の下段の推定部２３ｂは、基地局１０ａからの下りチャネル１（ＰＤＳＣＨ＃ＢＴＳ１）の情報からチャネル推定、即ち、ＳＩＲ１ａを推定する（Ｓ１２０）。また、基地局１０ｂのデータ送信電力制御部が送る下りチャネル１（ＰＤＳＣＨ＃ＢＴＳ２）の情報からチャネル推定、即ち、ＳＩＲ２ａを推定する（Ｓ１２１）。
次に、このようにして推定されたＳＩＲ１ａとＳＩＲ２ａとから最大値を選択する（Ｓ１２２）。
次に、選択された最大値とターゲットＳＩＲａを比較し（Ｓ１２３）、比較結果に基づいてコマンド３６を生成する（Ｓ１２４）。
【００５０】
このように、ＦＢＩ３３フィールドに組み立てるコマンド３６を生成するために付随チャネル２（ＤＰＣＨ＃ＢＴＳ１、ＤＰＣＨ＃ＢＴＳ２）の情報でなく、下りチャネル１（ＰＤＳＣＨ＃ＢＴＳ１、ＰＤＳＣＨ＃ＢＴＳ２）の情報を用いることによってコマンド３６を生成する。すなわち、本実施の形態では、移動局２０のコマンド生成部２８が、ＤＨＯ時に付随チャネル２の送信電力量を制御するＴＰＣコマンド３５を生成する系統とは別の系統としてコマンド３６を生成する。よって、移動局２０は、下りチャネル１の制御情報（ＰＤＳＣＨ）に基づいて下りチャネル１の送信電力制御情報をコマンド３６として基地局１０に知らせることができる。
また、図１３の上段に示すフラグ生成部２４の系統に障害が発生した場合にも、その障害とは無関係に図１３の下段に示すコマンド生成部２８を稼働させることができる。よって、移動局２０は、ＴＰＣコマンド３５の生成が何らかの原因で一時的にストップしている場合にも、下りチャネル１の制御情報（ＰＤＳＣＨ）に基づいて下りチャネル１の品質保持を担保する情報を基地局１０に知らせることができる。
【００５１】
基地局１０のデータ送信電力制御部１９がＴＰＣコマンド３５とコマンド３６とを用いて下りチャネル１の制御を行う動作は、実施の形態２と同様であるため、説明を省略する。
以上から、基地局１０は、下りチャネル１の制御情報に基づいた情報をコマンド３６として移動局２０から受信し、下りチャネル１の品質保持を担保する電力制御ができる。ＴＰＣコマンド３５の生成が何らかの原因で一時的にストップしている場合にも、付随チャネル２の電力制御情報と全く無関係に下りチャネル１の電力量を制御するためのコマンド３６を受信できるため、障害に強く正確な下りチャネル１の電力制御が可能となる。
【００５２】
以上、実施の形態では移動局２０として示したが、移動局２０には、携帯電話機、携帯情報端末、ノート型パソコン、インターネット端末、携帯情報型腕時計などのモバイル機器が該当する。
また、以上の全実施の形態では、各構成要素の各動作はお互いに関連しており、各構成要素の動作は、上記に示された動作の関連を考慮しながら、一連の動作として置き換えることができる。そして、このこのように置き換えることにより、方法の発明の実施形態とすることができる。
また、上記各構成要素の動作を、各構成要素の処理と置き換えることにより、プログラムの実施の形態とすることができる。そしてこれらの実施の形態は、すべてコンピュータで動作可能なプログラムにより構成することができる。プログラムの実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。なお、記録装置、中央処理装置は図示していない。
また、各実施の形態のソフトウエアやプログラムは、ＲＯＭ（ＲＥＡＤ  ＯＮＬＹ  ＭＥＭＯＲＹ）に記憶されたファームウエアで実現されていても構わない。あるいは、ソフトウエアとファームウエアとハードウエアとの組み合わせで前述したプログラムの各機能を実現しても構わない。
【図面の簡単な説明】
【００５３】
【図１】実施の形態１のシステム構成図である。
【図２】ＴＰＣコマンドとコマンドを生成する方法を示す図である。
【図３】上りＤＰＣＣＨフォーマットを示す図である。
【図４】ＴＰＣコマンドとコマンドを生成する方法を示す図である。
【図５】ＳＩＲ比とコマンド値の対応表である。
【図６】コマンドと補正量の対応表である。
【図７】ＳＩＲ比とコマンド値の対応表である。
【図８】コマンドと補正量の対応表である。
【図９】実施の形態１の他のシステム構成図である。
【図１０】実施の形態２のシステム構成図である。
【図１１】ＴＰＣコマンドとコマンドを生成する方法を示す図である。
【図１２】実施の形態３のシステム構成図である。
【図１３】ＴＰＣコマンドとコマンドを生成する方法を示す図である。
【図１４】従来例を示した図である。
【符号の説明】
【００５４】
１０  基地局、１１，２１  ＤＰＣＣＨ部、１２，１３１  送信電力制御部、１３  変調部、１４，２５  物理チャネル部、１５  符号化部、１８  補正部、１９，１３０  データ送信電力制御部、２０  移動局、２２  下りチャネル品質推定部、２３  推定部、２４  フラグ生成部、２８  コマンド生成部、３０  上りＤＰＣＣＨフォーマット、３１  ＰＩＬＯＴ、３２  ＴＦＣＩ、３３  ＦＢＩ、３４  ＴＰＣ、３５  ＴＰＣコマンド、３６  コマンド、５２  ＳＩＲ比、６４  補正量。
【図１】
2006304347.tif 000003
【図２】
2006304347.tif 000004
【図３】
2006304347.tif 000005
【図４】
2006304347.tif 000006
【図５】
2006304347.tif 000007
【図６】
2006304347.tif 000008
【図７】
2006304347.tif 000009
【図８】
2006304347.tif 000010
【図９】
2006304347.tif 000011
【図１０】
2006304347.tif 000012
【図１１】
2006304347.tif 000013
【図１２】
2006304347.tif 000014
【図１３】
2006304347.tif 000015
【図１４】
2006304347.tif 000016